(57)【要約】【課題】ＰＣやメール等の操作を要せずに、エレベータ管理者がエレベータの点検予定日時の同意、及び不同意を行うことができるエレベータの表示装置の提供。【解決手段】本発明は、エレベータ管理者側にそれぞれ設けられ、エレベータの点検予定日を表示する表示部と、この表示部に表示された点検予定日に対する同意の操作、及び不同意の操作を行う操作部を備えたエレベータの表示装置において、前述の表示部は、エレベータの乗かご５内に配置され、点検予定日時に対する了承すなわち同意の表示、及び不同意の表示が可能なかご内表示部８から成り、前述の操作部は、乗かご５内に通常設けられるかご内操作機器、例えば運転操作盤３０から成る構成にしてある。【選択図】図1
2015217991.tif 000002
【特許請求の範囲】
【請求項１】
エレベータ管理者側にそれぞれ設けられ、エレベータの点検予定日を表示する表示部と、前記表示部に表示された点検予定日に対する同意の操作、及び不同意の操作を行う操作部を備えたエレベータの表示装置において、
前記表示部は、前記エレベータの乗かご内に配置され、前記点検予定日に対する同意の表示、及び不同意の表示が可能なかご内表示部から成り、
前記操作部は、前記乗かご内に通常設けられるかご内操作機器から成ることを特徴とするエレベータの表示装置。
【請求項２】
請求項１に記載のエレベータの表示装置において、
前記かご内操作機器は、前記点検予定日とは異なる別の点検予定日の入力操作が可能なものから成り、
前記かご内表示部は、前記かご内操作機器の入力操作に伴って前記別の点検予定日の表示が可能なものから成ることを特徴とするエレベータの表示装置。
【請求項３】
請求項２に記載のエレベータの表示装置において、
前記かご内操作機器は、前記別の点検予定日に対する同意の操作、及び不同意の操作が可能なものから成り、
前記かご内表示部は、前記別の点検予定日に対する同意の表示、及び不同意の表示が可能なものから成ることを特徴とするエレベータの表示装置。
【請求項４】
請求項３に記載のエレベータの表示装置において、
前記かご内操作機器は、前記乗かご内に配置され、階床ボタン、開ボタン、及び閉ボタンを有する運転操作盤から成ることを特徴とするエレベータの表示装置。
【請求項５】
請求項１〜４のいずれか１項に記載のエレベータの表示装置において、
前記エレベータが設けられる建物内に配置され、少なくとも前記エレベータを監視する監視装置と、前記監視装置と遠隔的に接続される監視センタとを備え、
前記乗かご側に、前記かご内表示部に表示するコンテンツを記憶するコンテンツ記憶部と、前記コンテンツ記憶部に記憶されたコンテンツから前記かご内表示部に表示するコンテンツを選択するかご内コンテンツ選択部とを備え、
前記監視装置は、
前記エレベータの点検予定情報を格納する点検予定テーブルと、前記乗かごの行先階床及び現在の階床の表示情報を格納する表示コンテンツテーブルとを含む記憶装置と、
前記かご内操作機器の操作によって点検予定日時を設定する点検予定設定部と、
前記かご内表示部に表示するコンテンツを選択するコンテンツ選択部と、
前記かご内表示部に表示を指令する表示指令部と、
前記記憶装置、前記点検予定設定部、前記コンテンツ選択部、及び前記表示指令部における処理動作を制御する制御装置とを含むことを特徴とするエレベータの表示装置。
【発明の詳細な説明】
【技術分野】
【０００１】
本発明は、エレベータ管理者側においてエレベータの点検予定日を表示可能なエレベータの表示装置に関する。
【背景技術】
【０００２】
エレベータは定期的に停止させ、点検作業を行う必要がある。このため、エレベータ管理者とエレベータ保守会社は、エレベータを停止して作業を行う日程調整を行っている。このようなことから従来、エレベータ保守会社からエレベータ管理者への連絡を効率良く行うために、エレベータ保守会社よりエレベータ管理者にメールなどで点検予定日時を送信し、エレベータ管理者からは点検予定日時に対する同意、または不同意による変更希望を、エレベータ保守会社の担当者へメールで送信するようにした技術が開示されている（特許文献１参照）。
【先行技術文献】
【特許文献】
【０００３】
【特許文献１】特開２０１０−２０８７９７号公報
【発明の概要】
【発明が解決しようとする課題】
【０００４】
しかし、前述した従来技術においてエレベータの点検予定日時に対する同意、あるいは不同意を連絡するためには、エレベータ管理者側にメールを送受信できるＰＣなどの機器が必要であり、またエレベータ管理者側でＰＣやメールソフトの操作に習熟する必要がある。したがって前述した従来技術は、エレベータ管理者の全てが対応可能なものではない。また、エレベータの点検予定日時を確認するために、エレベータ管理者はＰＣを起動させて確認する必要があり、点検予定日時の調整に時間や手間が掛かり、必要な点検予定日時を迅速に決定できない問題もある。
【０００５】
本発明は、前述した従来技術における実情からなされたもので、その目的は、ＰＣやメール等の操作を要することなく、エレベータ管理者がエレベータの点検予定日時の同意、及び不同意を行うことができるエレベータの表示装置を提供することにある。
【課題を解決するための手段】
【０００６】
前記目的を達成するために、本発明に係るエレベータの表示装置は、エレベータ管理者側にそれぞれ設けられ、エレベータの点検予定日を表示する表示部と、前記表示部に表示された点検予定日に対する同意の操作、及び不同意の操作を行う操作部を備えたエレベータの表示装置において、前記表示部は、前記エレベータの乗かご内に配置され、前記点検予定日に対する同意の表示、及び不同意の表示が可能なかご内表示部から成り、前記操作部は、前記乗かご内に通常設けられるかご内操作機器から成ることを特徴を特徴としている。
【発明の効果】
【０００７】
本発明に係るエレベータの表示装置は、従来技術おけるようにＰＣやメール等の操作を要することなく、エレベータ管理者がかご内表示部及びかご内操作機器を利用して、すなわちエレベータに設けられた機能を利用して、エレベータの点検予定日時の同意、及び不同意を行うことができる。これにより本発明は、従来に比べてエレベータ管理者の負担を軽減させ、エレベータ管理者の管理業務効率を向上させることができる。
【図面の簡単な説明】
【０００８】
【図１】本発明に係るエレベータの表示装置の一実施形態の構成を示すブロック図である。
【図２】本実施形態に備えられる監視装置の記憶装置に含まれる点検予定テーブルに格納される表示コンテンツパターンの一例を示す図である。
【図３】本実施形態の動作を示すフローチャートである。
【図４】本実施形態に備えられるかご内操作機器を構成する運転操作盤を示す図である。
【発明を実施するための形態】
【０００９】
以下、本発明に係るエレベータの表示装置の実施の形態を図面に基づいて説明する。
【００１０】
図１に示すように、エレベータは、電動機２と、この電動機２の制御を含むエレベータ制御を行う図示しないエレベータ制御装置を少なくとも含むエレベータ制御盤１と、図示しない建物に設けられる昇降路９に配置される乗かご５と釣り合い錘３とを備えている。乗かご５と釣り合い錘３は、電動機２と同期して回転する図示しない綱車に巻き掛けられる複数本のワイヤロープ４の両端に、釣瓶式に取付けられている。
【００１１】
エレベータ制御盤１は、電動機２を正転及び逆転させる制御を行い、ワイヤロープ４を介して乗かご５と釣り合い錘３を昇降させ、乗かご５に乗り込んだ図示しない乗客を輸送する。
【００１２】
本実施形態は、エレベータの乗かご５内に配置され、エレベータの点検予定日とともに、点検予定日に対する同意の表示、及び不同意の表示が可能なかご内表示部８と、かご内表示部８に表示された点検予定日に対する同意の操作、及び不同意の操作を行う操作部とを備えている。この操作部は、乗かご５内に通常設けられるかご内操作機器、例えば後述する運転操作盤３０から成っている。
【００１３】
かご内表示部８には、乗かご５内に設置されたコンテンツ記憶部７に格納される図示しない表示コンテンツより乗かご５内に設置されたかご内コンテンツ選択部６で選択されたコンテンツが表示されるようになっている。
【００１４】
エレベータに関連したものとしては、このエレベータが設けられる建物内に配置され、少なくともエレベータを監視する監視装置２０と、この監視装置２０と通信回線を介して遠隔的に接続され、例えばエレベータ保守会社に設置される図示しない監視センタとが備えられている。
【００１５】
監視装置２０は、建物内の設備機器の異常を検出して監視センタへ異常を通報する装置であり、設備機器との信号の入出力を行う入出力装置１１と、この入出力装置１１の入力信号の変化を検出し、組み込まれた所定のプログラムに従って監視装置２０における各種の処理制御を行う制御装置１２とを備えている。また、この監視装置２０は、かご内表示部８に表示する現在の階床情報や行先階情報を格納する表示コンテンツテーブル１５と、エレベータの点検予定日時を格納する点検予定テーブル１６とを含み、表示コンテンツテーブル１５と点検予定テーブル１６の情報を記憶するＲＡＭやフラッシュＲＯＭ等から成る記憶装置１４を備えている。また監視装置２０は、エレベータ管理者との間で点検予定日時を設定する点検予定設定部１７と、かご内表示部８に表示するコンテンツを選択するコンテンツ選択部１８と、かご内表示部８に表示変更を指令する表示指令部１３と、図示しない監視センタに接続される通信手段１９を備えている。表示指令部１３は、乗かご５内に設置されたかご内コンテンツ選択部６に対して表示するコンテンツを指令する動作を行う。
【００１６】
乗かご５内に設置されたコンテンツ記憶部７には、かご内表示部８に表示する点検予定日時や、点検予定日時をエレベータ管理者が了承し、同意した場合の表示コンテンツ、及び不同意であるために別の点検予定日時を指定する場合の表示コンテンツなど、各状況に応じた表示コンテンツが予め記憶されている。表示コンテンツとしては、図２に示すように、表示コンテンツ種別ごとに、コンテンツ名や表示内容が記録されている。表示内容は例えば、点検予定年月日、開始時分、完了時分、表示メッセージであり、これらが表示コンテンツ種別ごとに格納されている。
【００１７】
例えば、表示コンテンツ種別が「点検予定日時」の場合、同図２に示すようにコンテンツ名は「Ｃ１」であり、表示内容の年月日は「２０１３／０９／０８」、開始時分が「１０：００」、完了時分が「１２：００」、表示メッセージが「次回の点検予定は２０１３／０９／０８  １０：００〜１２：００です。所定の操作をお願いします。」となっている。
【００１８】
同様に、表示コンテンツ種別が「点検予定了承」の場合、「点検予定不同意」の場合、「別希望日指定」の場合、「点検予定確定」の場合においても図２に示すように前述と同様に格納されている。
【００１９】
このような表示コンテンツ種別ごとの表示内容は、監視装置２０の記憶装置１４内の点検予定テーブル１６に予め記憶されている。
【００２０】
次に、本実施形態の処理動作を図３と図４を用いて説明する。
【００２１】
まず、エレベータ保守会社にて、自社で管理しているエレベータのうち、当月中に点検が必要なエレベータを抽出し、各エレベータ毎の点検計画を作成する（ステップＳ１）。
【００２２】
次に、監視装置２０と図示しない通信回線を介して遠隔的に接続されているエレベータ保守会社の図示しない監視センタにおいて、当月の点検予定日時が作成された建物のうち、エレベータ管理者へ点検予定日時を連絡する必要がある建物を抽出し（ステップＳ２）、該当建物が存在する場合は、そのうちの１件の建物を抽出する（ステップＳ３）。
【００２３】
次に、監視センタから通信回線を介して遠隔的に接続された監視装置２０に対して、通信手段１９を介して点検予定日時データを送信する（ステップＳ４）。
【００２４】
点検予定日時データを受信した監視装置２０の制御装置１２は、記憶装置１４に記憶されている点検予定テーブル１６の表示コンテンツ種別「点検予定日時」の表示内容の「年月日」「開始時分」「完了時分」の部分に受信した点検予定日時データをそれぞれ格納する。受信した点検予定日時データが格納された後、制御装置１２は、コンテンツ選択部１８において点検予定テーブル１６に格納された点検予定日時コンテンツＣ１を選択し、表示指令部１３から入出力装置１１とエレベータ制御盤１とを介して、かご内コンテンツ記憶部７に点検予定日時コンテンツＣ１を格納する。かご内コンテンツ選択部６は、コンテンツ記憶部７に格納された点検予定日時コンテンツＣ１をかご内表示部８に表示する（ステップＳ５）。
【００２５】
エレベータ管理者は、かご内表示部８に表示された点検予定日時を確認し、表示された点検予定日時の都合が良いか否かを確認する（ステップＳ６）。点検予定日時におけるエレベータ停止に問題が無い場合には、乗かご５内において了解、すなわち同意を意味する所定の了承操作を行う（ステップＳ７）。このステップＳ７において点検予定日時が了承された場合は、エレベータ制御盤１から、監視装置２０の入出力装置１１を介して、制御装置１２へ了承の信号を送信し、制御装置１２は、通信手段１９から図示しない通信回線を介して、図示しない監視センタへ了承の信号を送信する（ステップＳ８）。これにより点検予定が確定し（ステップＳ９）、かご内表示部８には、点検予定日時に同意し、確定したことを示す、図２の表示コンテンツＣ５が表示される（ステップＳ１０）。
【００２６】
次に、ステップＳ２に戻り、点検予定連絡が必要な建物が存在すれば、再度ステップＳ３以降へ進み、該当建物が無い場合は、終了する。
【００２７】
ここで、ステップＳ７においてエレベータ管理者が行う所定の操作の手順の一例を図４を用いて説明する。
【００２８】
この図４には、乗かご５内に設置される前述したかご内操作機器を構成する運転操作盤３０が示されている。この運転操作盤３０に、前述したかご内表示部８を設けてある。また、運転操作盤３０には、乗かご５の利用者が目的階に行きたい場合に、停止する階床を指定することができる階床ボタン３１と、エレベータが停止している際に、エレベータの図示しないドアを開けることができる開ボタン３２と、エレベータの図示しないドアを閉じることができる閉ボタン３３とが備えられている。
【００２９】
図３に示すフローチャートのステップＳ７の「了解の所定操作」とは、エレベータ管理者が点検予定日時を了承する場合に、例えば開ボタン３２と同時に階床ボタン３１のうちの１と２との３つのボタンを押す操作である。エレベータ管理者は、この「了解の所定操作」を行うことにより、かご内表示部８に表示されている点検予定日時について了承、すなわち同意したことを入力することができる。
【００３０】
また、以降で説明する図３に示すフローチャートのステップＳ１１における「不同意の所定操作」とは、エレベータ管理者がかご内表示部８に表示されている点検予定日時に対して同意できない場合に、例えば閉釦３３と同時に階床ボタン３１のうち、最上階から２つに該当する１２と１１のボタンを押す操作である。エレベータ管理者は、この「不同意の所定操作」を行うことにより、かご内表示部８に表示されている点検予定日時について同意できないことを入力することができる。
【００３１】
一方、ステップＳ６において、エレベータ管理者がかご内表示部８に表示された点検予定日時が都合が悪く同意できない場合は、エレベータ管理者は「不同意の所定操作」を行う（ステップＳ１１）。「不同意の所定操作」が行われた場合には、制御装置１２は図２の表示コンテンツＣ３を表示し、エレベータ管理者に別の点検予定日時を入力するように促す。
【００３２】
別の点検予定日時を入力する手順は、図４に示す運転操作盤３０において、階床ボタン３１を数字と見立て、例えば開ボタン３２と閉釦３３を同時に押しながら、年月日時分を階床ボタン３１を用いて入力する。例えば、２０１３年０９月１６日の１０時から１２時を別の点検予定日時として希望する場合には、開ボタン３２と閉釦３３を同時に押しながら、階床ボタン３１の２を押した後、続けて１０を押し、その後順番に、１、３、１０、９、１、６、１、１０、１、２を押すことで、２０１３年９月１６日の１０時から１２時の希望の日時を指定することができる。制御装置１２は、指定された別の点検予定日時データを基に、図２の表示コンテンツＣ４をかご内表示部８に表示する（ステップＳ１２）。
【００３３】
次に、制御装置１２は、入力された別の点検予定日時データを、通信手段１９から図示しない通信回線を介して、図示しない監視センタへ送信する（ステップＳ１３）。
【００３４】
図示しない監視センタは、受信した別の点検予定日時の都合を確認し（ステップＳ１４）、受信した別の点検予定日時における保守作業の人員や作業内容に問題が無い場合は、点検予定日時を確定し、監視装置２０に対して通信手段１９を介して点検予定日時が確定した旨を送信する（ステップＳ１６）。この手順により点検予定日時が確定したので、制御装置１２は、かご内表示部８に点検予定日時が確定したことを示す図２の表示コンテンツＣ５を表示する（ステップＳ１０）。一方、エレベータ管理者が希望する点検予定日時では点検できない場合には、図示しない監視センタは、別の点検が可能な日時を検索し（ステップＳ１５）、ステップＳ４に戻り、通信手段１９を介して別の点検予定日時データを送信する。以降は、同様にエレベータ管理者が点検予定日時について了解、すなわち同意するまで、図３に示すフローチャートに従った処理動作が行われる。
【００３５】
本実施形態によれば、ＰＣやメール等の操作を要することなく、エレベータ管理者がかご内表示部８及び運転操作盤３０を利用して、すなわちエレベータに設けられた機能を利用して、エレベータの点検予定日時の同意、及び不同意を行うことができる。これにより本実施形態は、エレベータ管理者の負担を軽減させ、エレベータ管理者の管理業務効率を向上させることができる。
【００３６】
また、本実施形態によれば、監視センタはエレベータ管理者に対して点検予定日時を連絡することができるばかりでなく、エレベータ管理者に、その点検予定日時に対して了承（同意）か、不同意かの操作を、エレベータ内に設けられたかご内操作機器、すなわち運転操作盤３０を利用して行うことを促すことにより、エレベータ管理者の意思の確認を行うことができる。すなわち、監視センタにおいて、ＰＣやメール等の手段を用いることなく、エレベータ管理者の意思の確認を行うことができる。
【００３７】
また、本実施形態は、提案された点検予定日時に対してエレベータ管理者が不同意であった場合には、エレベータ管理者に、別の点検予定日時を運転操作盤３０の操作で入力するように促すことにより、監視センタは、入力された別の点検予定日時に点検が可能か否かを調査して、即時に別の点検予定日時における点検実施の可否をエレベータ管理者に回答することかできる。これにより、点検予定日時の調整の手間を大幅に省くことができ、エレベータ管理者と監視センタとの間の連絡事務に要する時間を最小限とすることができる。
【００３８】
なお、図２に示す表示メッセージの文言は変更可能であり、例えばエレベータの運用状況を反映したメッセージに変更することができる。
【００３９】
また、本実施形態は、エレベータ制御盤１に接続する監視装置２０にてコンテンツ表示を指令するようにしたが、図示しない通信回線を介して遠隔的に配置される図示しない監視センタから表示コンテンツを選択し、表示指令を行うようにしてもよい。このようにしても前述した実施形態と同様の効果が得られる。
【００４０】
また、本実施形態は、図２に示す表示コンテンツや表示メッセージを例に挙げて説明したが、これらの表示コンテンツ及び表示メッセージの数は、増加させてもよく、また逆に減少させてもよい。
【符号の説明】
【００４１】
１    エレベータ制御盤
５    乗かご
６    かご内コンテンツ選択部
７    コンテンツ記憶部
８    かご内表示部
１１    入出力装置
１２    制御装置
１３    表示指令部
１４    記憶装置
１５    表示コンテンツテーブル
１６    点検予定テーブル
１７    点検予定設定部
１８    コンテンツ選択部
１９    通信手段
２０    監視装置
３０    運転操作盤（かご内操作機器）
３１    階床ボタン
３２    開ボタン
３３    閉ボタン
【図１】
2015217991.tif 000003
【図２】
2015217991.tif 000004
【図３】
2015217991.tif 000005
【図４】
2015217991.tif 000006